(57)【要約】【課題】  簡易な構成を有するとともにシールドテープを電気的に接地させる作業性が向上するフレキシブルケーブル（ＦＣ）の接地構造とすること。【解決手段】  ＦＣ１１の接地構造は、ケース８内にその底面から間隔をあけて設置された一方の回路基板４と他方の回路基板５とを電気的に中継接続する、シールドテープ１３によって周囲が巻回されているＦＣ１１の接地構造であって、下方に付勢するように蛇腹状に折り込まれた蛇腹部13a,13bを有することによってシールドテープ１３がケース８の底面に接触して電気的に接地されている。【選択図】  図１
2015185287.tif 000002
【特許請求の範囲】
【請求項１】
ケース内にその底面から間隔をあけて設置された一方の回路基板と他方の回路基板とを電気的に中継接続する、シールドテープによって周囲が巻回されているフレキシブルケーブルの接地構造であって、下方に付勢するように蛇腹状に折り込まれた蛇腹部を有することによって前記シールドテープが前記ケースの底面に接触して電気的に接地されているフレキシブルケーブルの接地構造。
【請求項２】
前記フレキシブルケーブルは、前記蛇腹部が前記回路基板と前記ケースとの間に位置している請求項１に記載のフレキシブルケーブルの接地構造。
【請求項３】
前記ケースは、導電性材料から成るとともに電気的に接地されている請求項１または請求項２に記載のフレキシブルケーブルの接地構造。
【請求項４】
前記ケースは、その底面における前記シールドテープが接触する部位に接地導体が設けられている請求項１乃至請求項３のいずれかに記載のフレキシブルケーブルの接地構造。
【請求項５】
前記シールドテープは、前記ケースの底面に接触する部位に前記ケースに固定手段により固定するため突出部が形成されている請求項１乃至請求項４のいずれかに記載のフレキシブルケーブルの接地構造。
【発明の詳細な説明】
【技術分野】
【０００１】
本発明は、例えばプリント配線基板（Printed  Circuit  Board：ＰＣＢ）等の回路基板の回路配線を電気的に中継接続するためのフレキシブルケーブル（Flexible  Cable：ＦＣ）の接地構造に関するものである。
【背景技術】
【０００２】
従来のフレキシブルフラットケーブル（Flexible  Flat  Cable：ＦＦＣ）の１例を図４に示す。図４（ａ）は、２つの回路基板の回路配線同士を電気的に中継接続しているＦＦＣの平面図、（ｂ）は（ａ）のＤ１−Ｄ２線における断面図である。ＦＦＣ１は、例えば、電気機器のケース８内にその底面から間隔をあけて設置された一方の回路基板４と他方の回路基板５とを電気的に中継接続するものであり、アルミニウム（Ａｌ）等から成るシールドテープ３によって周囲が巻回されている。ＦＦＣ１は、平面的に平行に並べられた複数の導体線２と、それらの導体線２を覆う樹脂等から成る保護絶縁材とを有しており、面状のケーブルである。シールドテープ３は、ＦＦＣ１の信号伝送用の導体線２によって伝送される電気信号に対して外部からノイズが入り込むことを防ぐとともに、導体線２によって伝送される電気信号が外部へ漏れることを防ぐために設けられる。なお、図４において、６，７はＦＦＣ１の導体線２を回路基板４，５の回路配線に電気的に接続するための接続端子（コネクタ）である。
【０００３】
図４に示すように、ＦＦＣ１は回路基板４，５の回路配線同士をほぼ最短距離で中継接続するために、平面的に設けられている。また図４（ｂ）の断面図でみると、ＦＦＣ１は直線的に設けられている。
【０００４】
ＦＦＣ１は、図４のように電気的にフローティング状態にあると、電磁遮蔽（シールド）性が不十分である。そこで、シールド性を高める目的で、図５に示すように、接地用の接続部３ｂを信号伝送方向の両端に有するシールドテープ３ａが用いられる場合があった。この接続部３ｂはコネクタ６，７の接地端子に電気的に接続される。また、他の従来例として、一側がシールドテープに電気的に接続され、他側がＦＦＣのケーブル本体の外へ延びてグランドに接続されるジャンパ部材を含むＦＦＣが知られている（例えば、特許文献１参照）。
【先行技術文献】
【特許文献】
【０００５】
【特許文献１】特開２００７−９５４３５号公報
【発明の概要】
【発明が解決しようとする課題】
【０００６】
しかしながら、図５に示した上記従来のＦＦＣにおいては、接地用の接続部３ｂを信号伝送方向の両端に有するシールドテープ３ａは、形状が複雑であるために、製造の際に加工が難しく、また矩形状のシールドテープと比較して母材から多くの個片を切り出すことができないために、製造コストが嵩み高価なものになりやすい。さらに、接続部３ｂをコネクタ６，７の接地端子に接続させる必要があるために、ＦＦＣ１をケース８内に組み込む際の作業性が悪いという問題点があった。
【０００７】
また、特許文献１に開示されているＦＦＣにおいては、別個のジャンパ部材を有しているために、ＦＦＣの製造工程が増加して高コストなものとなり、またジャンパ部材をビスで止める必要があるために、ＦＦＣをケース等の内部に組み込む際の作業性が悪いという問題点があった。
【０００８】
本発明は、上記に問題点に鑑みて完成されたものであり、その目的は、簡易な構成を有するとともにシールドテープを電気的に接地させる作業性が向上するフレキシブルケーブルの接地構造とすることである。
【課題を解決するための手段】
【０００９】
本発明のフレキシブルケーブルの接地構造は、ケース内にその底面から間隔をあけて設置された一方の回路基板と他方の回路基板とを電気的に中継接続する、シールドテープによって周囲が巻回されているフレキシブルケーブルの接地構造であって、下方に付勢するように蛇腹状に折り込まれた蛇腹部を有することによって前記シールドテープが前記ケースの底面に接触して電気的に接地されている構成である。
【００１０】
本発明のフレキシブルケーブルの接地構造は、好ましくは、前記フレキシブルケーブルは、前記蛇腹部が前記回路基板と前記ケースとの間に位置している。
【００１１】
また本発明のフレキシブルケーブルの接地構造は、好ましくは、前記ケースは、導電性材料から成るとともに電気的に接地されている。
【００１２】
また本発明のフレキシブルケーブルの接地構造は、好ましくは、前記ケースは、その底面における前記シールドテープが接触する部位に接地導体が設けられている。
【００１３】
また本発明のフレキシブルケーブルの接地構造は、好ましくは、前記シールドテープは、前記ケースの底面に接触する部位に前記ケースに固定手段により固定するための突出部が形成されている。
【発明の効果】
【００１４】
本発明のフレキシブルケーブルの接地構造は、ケース内にその底面から間隔をあけて設置された一方の回路基板と他方の回路基板とを電気的に中継接続する、シールドテープによって周囲が巻回されているフレキシブルケーブルの接地構造であって、下方に付勢するように蛇腹状に折り込まれた蛇腹部を有することによってシールドテープがケースの底面に接触して電気的に接地されていることから、ケース内にフレキシブルケーブルを組み込むだけでシールドテープが自ずとケースの底面に接触して電気的に接地されることになる。即ち、本発明のフレキシブルケーブルの接地構造は、簡易な構成を有するとともにシールドテープを電気的に接地させる作業性が向上したものとなる。
【００１５】
本発明のフレキシブルケーブルの接地構造は、好ましくは、フレキシブルケーブルは、蛇腹部が回路基板とケースとの間に位置していることから、蛇腹部が上下方向に拡がろうとする復元力により、シールドテープが回路基板及びケースの両方に押し付けられるために、シールドテープの接地を確実にとることができるとともに、シールドテープの接地状態を維持することができる。
【００１６】
また本発明のフレキシブルケーブルの接地構造は、好ましくは、ケースは、導電性材料から成るとともに電気的に接地されていることから、フレキシブルケーブルの接地の作業性が向上する。
【００１７】
また本発明のフレキシブルケーブルの接地構造は、好ましくは、ケースは、その底面におけるシールドテープが接触する部位に接地導体が設けられていることから、フレキシブルケーブルの接地の作業性が向上する。
【００１８】
また本発明のフレキシブルケーブルの接地構造は、好ましくは、シールドテープは、ケースの底面に接触する部位にケースに固定手段により固定するための突出部が形成されていることから、シールドテープを確実に接地させることができるとともに、シールドテープの接地状態を維持することができる。
【図面の簡単な説明】
【００１９】
【図１】図１は、本発明のフレキシブルケーブルの接地構造について実施の形態の１例を示す図であり、（ａ）はケース内に組み込まれたフレキシブルケーブルの平面図、（ｂ）は（ａ）のＡ１−Ａ２線における断面図である。
【図２】図２は、本発明のフレキシブルケーブルの接地構造について実施の形態の他例を示す図であり、（ａ）はケース内に組み込まれたフレキシブルケーブルの平面図、（ｂ）は（ａ）のＢ１−Ｂ２線における断面図である。
【図３】図３は、本発明のフレキシブルケーブルの接地構造について実施の形態の他例を示す図であり、（ａ）はケース内に組み込まれたフレキシブルケーブルの平面図、（ｂ）は（ａ）のＣ１−Ｃ２線における断面図である。
【図４】図４は、従来のフレキシブルフラットケーブルの１例を示す図であり、（ａ）はケース内に組み込まれたフレキシブルフラットケーブルの平面図、（ｂ）は（ａ）のＤ１−Ｄ２線における断面図である。
【図５】図５は、従来のフレキシブルフラットケーブルの他例を示す図であり、ケース内に組み込まれたフレキシブルフラットケーブルの平面図である。
【発明を実施するための形態】
【００２０】
以下、本発明のフレキシブルケーブル（ＦＣ）の接地構造の実施の形態について、図面を参照しながら説明する。図１は、本発明のＦＣについて実施の形態の１例を示す図であり、（ａ）はケース内に組み込まれたＦＣの平面図、（ｂ）は（ａ）のＡ１−Ａ２線における断面図である。図１に示すように、本発明のＦＣ１１の接地構造は、ケース８内にその底面から間隔をあけて設置された一方の回路基板４と他方の回路基板５とを電気的に中継接続する、シールドテープ１３によって周囲が巻回されているＦＣ１１の接地構造であって、下方に付勢するように蛇腹状に折り込まれた蛇腹部13a,13bを有することによってシールドテープ１３がケース８の底面に接触して電気的に接地されている構成である。この構成により、ケース８内にＦＣ１１を組み込むだけでシールドテープ１３が自ずとケース８の底面に接触して電気的に接地されることになる。即ち、本発明のＦＣ１１の接地構造は、簡易な構成を有するとともにシールドテープ１３を電気的に接地させる作業性が向上したものとなる。
【００２１】
本発明のＦＣ１１の接地構造において、ケース８は、液晶表示装置、ＤＶＤプレーヤ、コピー機、プリンタ、スキャナ等の電子機器、電気機器の容器として用いられるものである。ケース８の材料としては、アクリル樹脂，ポリカーボネート，ポリアミド，ポリイミド，ポリアミドイミド等のプラスチック、アルミナセラミック等のセラミックなどの非導電性材料、またはアルミニウム（Ａｌ）、銅、ステンレススチール、真鍮（Ｃｕ−Ｚｎ合金）等の導電性材料が用いられる。またケース８は、プラスチック、セラミック等の非導電性材料から成る基体の表面に、金属、合金等から成る導電性メッキ層を形成したものであってもよい。
【００２２】
ケース８内には、その底面から間隔をあけて設置された一方の回路基板４と他方の回路基板５とが収容されている。回路基板４，５は、一般的に、ケース８内の底面に直置きされることは少なく、放熱部材、絶縁部材、緩衝部材、接着材等を介してケース８内の底面に設置されることが多い。従って、本発明における回路基板４，５は、ケース８内にその底面から間隔をあけて設置されている。なお、回路基板４，５は、プリント配線基板（ＰＣＢ）等から成る。
【００２３】
ＦＣ１１は、平面的に平行に並べられた銅（Ｃｕ）等から成る複数の導体線２と、それらの導体線２を覆う樹脂等から成る保護絶縁材とを有しており、可撓性を有するケーブルである。またＦＣ１１は、シールドテープ１３によって周囲が巻回されており、これにより、シールドテープ１３は、ＦＣ１１の信号伝送用の導体線２によって伝送される電気信号に対して外部からノイズが入り込むことを防ぐとともに、導体線２によって伝送される電気信号が外部へ漏れることを防ぐ。シールドテープ１３は、アルミニウム（Ａｌ）等の金属から成るテープ、フィルム、シート等の面状のものである。またシールドテープ１３は、プラスチック等の非導電性材料から成る面状の基材の表面にアルミニウム，銀，金等の金属膜をメッキ法等によって形成したものであってもよい。
【００２４】
本発明に係るＦＣ１１は、図１に示すように、下方に付勢するように蛇腹状に折り込まれた蛇腹部13a,13bを有する。蛇腹部13a,13bは、ＦＣ１１の一方の回路基板４の側に形成されている。また蛇腹部13a,13bは、下方に向かって交互に折り返された折り返し部13a,13bであり、折り返し部13a,13bは下方向の軸線の左右に交互に位置するように構成される。これにより、図１（ｂ）の矢印に示すように、蛇腹部13a,13bが下方に付勢されるものとなり、シールドテープ１３がケース８の底面に自ずと接触して電気的に接地される。
【００２５】
図２は、本発明のＦＣの接地構造について実施の形態の他例を示す図であり、（ａ）はケース８内に組み込まれたＦＣ１２の平面図、（ｂ）は（ａ）のＢ１−Ｂ２線における断面図である。本発明のＦＣ１２は、図２に示すように、下方に付勢するように蛇腹状に折り込まれた蛇腹部14a,14b,14c,14dを有する。蛇腹部14a,14bはＦＣ１２の一方の回路基板４の側に形成されており、蛇腹部14c,14dはＦＣ１２の他方の回路基板５の側に形成されている。即ち、ＦＣ１２は、その両端部に蛇腹部14a,14b,14c,14dを有する。
【００２６】
図１、図２に示すように、蛇腹部の一部（図１では蛇腹部13b、図２では蛇腹部14b,14d）は回路基板４，５の下面とケース８の底面との間に位置することが好ましい。この場合、図１の蛇腹部13b前後のＦＣ１１の部位、図２の蛇腹部14b前後のＦＣ１２の部位、図２の蛇腹部14d前後のＦＣ１２の部位が、蛇腹部13b,14b,14dが上下方向に拡がろうとする復元力により、シールドテープ１３，１４が回路基板４，５の下面及びケース８の底面の両方に押し付けられるために、シールドテープ１３，１４の接地を確実にとることができるとともに、シールドテープ１３，１４の接地状態を維持することができる。
【００２７】
本発明に係るＦＣ１１，１２は、ケース８は、導電性材料から成るとともに電気的に接地されていることが好ましい。この場合、シールドテープ１３，１４がケース８の底面に接触するだけでシールドテープ１３，１４の接地をとることができる。従って、ＦＣ１１，１２の接地の作業性が向上する。またこの場合、ケース８は、アルミニウム（Ａｌ）、銅、ステンレススチール、真鍮（Ｃｕ−Ｚｎ合金）等の導電性材料から成る。また、ケース８は、プラスチック、セラミック等の非導電性材料から成る基体の表面に、金属、合金等から成る導電性メッキ層を形成したもの、金属、合金等から成る導電板、導電性フィルムを貼り付けたものであってもよい。なお、ケース８は、接地導体線等の接地部材（図示せず）によって外部の接地部に電気的に接続されている。
【００２８】
また本発明のＦＣ１１，１２は、ケース８は、その底面におけるシールドテープ１３，１４が接触する部位に接地導体が設けられていることが好ましい。この場合、ケース８が非導電性材料から成るときであっても、シールドテープ１３，１４をケース８の底面に接触させるだけでシールドテープ１３，１４を接地させることができる。従って、ＦＣ１１，１２の接地の作業性が向上する。なお、接地導体は、ケース８の底面に直接設けられたものであってもよく、あるいはケース８の底面に設置された別個の回路基板に設けられたものであってもよい。また接地導体は、接地導体線等の接地部材（図示せず）によって外部の接地部に電気的に接続されている。
【００２９】
また本発明に係るＦＣ１１，１２は、図３に示すように、シールドテープ１３，１４は、ケース８の底面に接触する部位にケース８に固定手段により固定するための突出部（耳状部）１５が形成されていることが好ましい。固定手段としては、ネジ止め、導電性接着剤による接着等がある。図３においては、突出部１５にネジ止め孔１６が形成されている。この場合、ネジ１７によって突出部１５を固定することによってシールドテープ１３，１４を確実に接地させることができるとともに、シールドテープ１３，１４の接地状態を維持することができる。
【００３０】
なお、本発明のＦＣは、上記実施の形態に限定されるものではなく、適宜の設計的な変更、改良を含んでいてもよい。
【産業上の利用可能性】
【００３１】
本発明のＦＣは、電子機器、電気機器のケース内に収容されて用いられる。その電子機器、電気機器としては、ＤＶＤプレーヤ、ＣＤプレーヤ、コピー機、プリンタ、スキャナ、パーソナルコンピュータ、汎用大型コンピュータ、タブレット端末、メモリ装置（バッファ装置）、表示装置等がある。また、本発明のＦＣが収容される表示装置としては、液晶表示装置（Liquid  Crystal  Display：ＬＣＤ）、有機ＥＬ（Electro  Luminescence）装置、無機ＥＬ装置、プラズマディスプレイ、ＦＥＤ（Field  Emitting  Display）、ＳＥＤ（Surface-conduction  Electron-emitter  Display）、ＧＬＶ（Grating  Light  Valve）装置、ＰＤＰ（Plasma  Display）装置、電子ペーパーディスプレイ装置、ＤＭＤ（Digital  micro  Mirror  Device）、圧電セラミックディスプレイなどの表示装置がある。
【符号の説明】
【００３２】
１  ＦＦＣ
２  導体線
３  シールドテープ
４，５  回路基板
６，７  コネクタ
８  ケース
１１，１２  ＦＣ
１３，１４  シールドテープ
１３ａ，１３ｂ  蛇腹部
１４ａ，１４ｂ，１４ｃ，１４ｄ  蛇腹部
【図１】
2015185287.tif 000003
【図２】
2015185287.tif 000004
【図３】
2015185287.tif 000005
【図４】
2015185287.tif 000006
【図５】
2015185287.tif 000007